(57)【要約】【課題】低背、低Ｆナンバーの要求を満足しながらも、良好な光学特性を備える撮像レンズを提供する。【解決手段】  物体側から像側に向かって順に配置された、光軸近傍で物体側に凸面を向けた正の屈折力を有する第１レンズと、光軸近傍で負の屈折力を有する第２レンズと、光軸近傍で負の屈折力を有する第３レンズと、光軸近傍で物体側に凸面を向けた正、または負の屈折力を有する第４レンズと、光軸近傍で正、または負の屈折力を有する第５レンズと、光軸近傍で像側に凸面を向けた正、または負の屈折力を有する第６レンズとから構成され、予め定められた条件式を満足する。【選択図】図１
2020173286.tif 000002
【特許請求の範囲】
【請求項１】
物体側から像側に向かって順に配置された、光軸近傍で物体側に凸面を向けた正の屈折力を有する第１レンズと、光軸近傍で負の屈折力を有する第２レンズと、光軸近傍で負の屈折力を有する第３レンズと、光軸近傍で物体側に凸面を向けた正、または負の屈折力を有する第４レンズと、光軸近傍で正、または負の屈折力を有する第５レンズと、光軸近傍で像側に凸面を向けた正、または負の屈折力を有する第６レンズとから構成され、前記第５レンズの物体側の面は、光軸近傍で物体側に凹面を向けているとともに、以下の条件式（１）、（２）、および（３）を満足することを特徴とする撮像レンズ。
（１）３９．００＜νｄ３＜７３．００
（２）１１．００＜νｄ６＜２６．００
（３）−８．００＜｜ｒ１１｜／ｒ１２
ただし、
νｄ３：第３レンズのｄ線に対するアッべ数
νｄ６：第６レンズのｄ線に対するアッべ数
ｒ１１：第６レンズの物体側の面の近軸曲率半径
ｒ１２：第６レンズの像側の面の近軸曲率半径
【請求項２】
前記第２レンズの物体側の面は、光軸近傍で物体側に凸面を向けていることを特徴とする請求項１に記載の撮像レンズ。
【請求項３】
以下の条件式（４）を満足することを特徴とする請求項１に記載の撮像レンズ。
（４）０．５０＜ｒ８／ｆ＜１０．００
ただし、
ｒ８：第４レンズの像側の面の近軸曲率半径
ｆ：撮像レンズ全系の焦点距離
【請求項４】
以下の条件式（５）を満足することを特徴とする請求項１に記載の撮像レンズ。
（５）０．７０＜Ｔ４／Ｔ５＜１９．００
ただし、
Ｔ４：第４レンズの像側の面から第５レンズの物体側の面までの光軸上の距離
Ｔ５：第５レンズの像側の面から第６レンズの物体側の面までの光軸上の距離
【請求項５】
以下の条件式（６）を満足することを特徴とする請求項１に記載の撮像レンズ。
（６）１１．００＜νｄ４＜２６．００
ただし、
νｄ４：第４レンズのｄ線に対するアッべ数
【請求項６】
以下の条件式（７）を満足することを特徴とする請求項１に記載の撮像レンズ。
（７）０．９０＜｜ｆ４｜／ｆ
ただし、
ｆ４：第４レンズの焦点距離
ｆ：撮像レンズ全系の焦点距離
【請求項７】
以下の条件式（８）を満足することを特徴とする請求項１に記載の撮像レンズ。
（８）０．９０＜｜ｆ６｜／ｆ
ただし、
ｆ６：第６レンズの焦点距離
ｆ：撮像レンズ全系の焦点距離
【請求項８】
物体側から像側に向かって順に配置された、光軸近傍で物体側に凸面を向けた正の屈折力を有する第１レンズと、光軸近傍で負の屈折力を有する第２レンズと、光軸近傍で負の屈折力を有する第３レンズと、光軸近傍で物体側に凸面を向けた正、または負の屈折力を有する第４レンズと、光軸近傍で正、または負の屈折力を有する第５レンズと、光軸近傍で像側に凸面を向けた正、または負の屈折力を有する第６レンズとから構成され、前記第６レンズの物体側の面は、光軸近傍で物体側に凸、または凹面を向けているとともに、以下の条件式（１）、および（４）を満足することを特徴とする撮像レンズ。
（１）３９．００＜νｄ３＜７３．００
（４）０．５０＜ｒ８／ｆ＜１０．００
ただし、
νｄ３：第３レンズのｄ線に対するアッべ数
ｒ８：第４レンズの像側の面の近軸曲率半径
ｆ：撮像レンズ全系の焦点距離
【請求項９】
以下の条件式（３）を満足することを特徴とする請求項８に記載の撮像レンズ。
（３）−８．００＜｜ｒ１１｜／ｒ１２
ただし、
ｒ１１：第６レンズの物体側の面の近軸曲率半径
ｒ１２：第６レンズの像側の面の近軸曲率半径
【請求項１０】
以下の条件式（６）を満足することを特徴とする請求項８に記載の撮像レンズ。
（６）１１．００＜νｄ４＜２６．００
ただし、
νｄ４：第４レンズのｄ線に対するアッべ数
【請求項１１】
以下の条件式（９）を満足することを特徴とする請求項８に記載の撮像レンズ。
（９）−７．００＜ｆ３／｜ｆ４｜＜−０．０５
ただし、
ｆ３：第３レンズの焦点距離
ｆ４：第４レンズの焦点距離
【発明の詳細な説明】
【技術分野】
【０００１】
本発明は、撮像装置に使用されるＣＣＤセンサやＣ-ＭＯＳセンサの固体撮像素子上に被写体の像を結像させる撮像レンズに関するものである。
【背景技術】
【０００２】
近年、家電製品や情報端末機器、自動車等、様々な製品にカメラ機能が搭載されるようになった。今後も、カメラ機能を融合させた様々な商品開発が進んでいくものと考えられる。
【０００３】
このような機器に搭載される撮像レンズは、小型でありながらも高い解像性能が求められる。
【０００４】
従来の高性能化を目指した撮像レンズとしては、例えば、以下の特許文献１のような撮像レンズが知られている。
【０００５】
特許文献１には、物体側から順に、第１レンズから第６レンズと、前記第１レンズから第６レンズを介して結像された光学像を電気信号に変換する撮像素子から構成され、光学全長と全系の焦点距離との関係、および第１レンズのアッべ数と第３レンズのアッべ数との関係が、一定の条件を満たすよう構成された撮像レンズが開示されている。
【先行技術文献】
【特許文献】
【０００６】
【特許文献１】米国特許第９７５９８９３号明細書
【発明の概要】
【発明が解決しようとする課題】
【０００７】
特許文献１に記載のレンズ構成で、低背化、および低Ｆナンバー化を図ろうとした場合、周辺部における収差補正が非常に困難であり、良好な光学性能を得ることはできない。
【０００８】
本発明は、上述した課題に鑑みてなされたものであり、低背化、および低Ｆナンバー化の要求をバランスよく満足しながらも、諸収差が良好に補正された高い解像力を備える撮像レンズを提供することを目的とする。
【０００９】
また、本発明において使用する用語に関し、レンズの面の凸面、凹面、平面とは光軸近傍（近軸）における形状を指すものと定義する。屈折力とは、光軸近傍（近軸）における屈折力を指すものと定義する。極点とは接平面が光軸と垂直に交わる光軸上以外における非球面上の点として定義する。光学全長とは、最も物体側に位置する光学素子の物体側の面から撮像面までの光軸上の距離として定義する。なお、光学全長やバックフォーカスは、撮像レンズと撮像面との間に配置されるＩＲカットフィルタやカバーガラス等の厚みを空気換算して得られる距離とする。
【課題を解決するための手段】
【００１０】
本発明による撮像レンズは、物体側から像側に向かって順に配置された、光軸近傍で物体側に凸面を向けた正の屈折力を有する第１レンズと、光軸近傍で負の屈折力を有する第２レンズと、光軸近傍で負の屈折力を有する第３レンズと、光軸近傍で物体側に凸面を向けた正、または負の屈折力を有する第４レンズと、光軸近傍で正、または負の屈折力を有する第５レンズと、光軸近傍で像側に凸面を向けた正、または負の屈折力を有する第６レンズとから構成されることを特徴とする。
【００１１】
上記構成の撮像レンズは、第１レンズは、屈折力を強めることで、低背化を図る。また、光軸近傍で物体側に凸面を向けることにより、球面収差、歪曲収差を良好に補正する。
【００１２】
第２レンズは、球面収差、色収差を良好に補正する。
【００１３】
第３レンズは、コマ収差、非点収差、歪曲収差を良好に補正する。
【００１４】
第４レンズは、非点収差、歪曲収差を良好に補正する。また、光軸近傍で物体側に凸面を向けることにより、非点収差、歪曲収差のより良好な補正が可能になる。
【００１５】
第５レンズは、非点収差、像面湾曲、歪曲収差を良好に補正する。
【００１６】
第６レンズは、球面収差、非点収差、像面湾曲、歪曲収差を良好に補正する。また、光軸近傍で像側に凸面を向けることにより、撮像素子への光線入射角を抑えることが可能になる。その結果、第６レンズのレンズ径を小さくし、撮像レンズの小径化を可能にしている。
【００１７】
また、上記構成の撮像レンズにおいては、第２レンズの物体側の面は、光軸近傍で物体側に凸面を向けた形状とすることが望ましい。
【００１８】
第２レンズの物体側の面を光軸近傍で物体側に凸面とすることで、コマ収差、非点収差、歪曲収差を良好に補正する。
【００１９】
また、上記構成の撮像レンズにおいては、第３レンズの物体側の面は、光軸近傍で物体側に凸面を向けた形状とすることが望ましい。
【００２０】
第３レンズの物体側の面を光軸近傍で物体側に凸面とすることで、コマ収差、非点収差の良好な補正が可能になる。
【００２１】
また、上記構成の撮像レンズにおいては、第６レンズの物体側の面は、光軸近傍で物体側に凸面、または凹面を向けた形状とすることが望ましい。
【００２２】
第６レンズの物体側の面を光軸近傍で物体側に凸面、または凹面とすることで、球面収差の良好な補正が可能になる。
【００２３】
また、上記構成の撮像レンズにおいては、以下の条件式（１）を満足することが望ましい。
（１）３９．００＜νｄ３＜７３．００
ただし、νｄ３は第３レンズのｄ線に対するアッべ数である。
【００２４】
条件式（１）は、第３レンズのｄ線に対するアッベ数を適切な範囲に規定するものである。条件式（１）の範囲を満足することで、色収差の良好な補正が可能になる。
【００２５】
また、上記構成の撮像レンズにおいては、以下の条件式（２）を満足することが望ましい。
（２）１１．００＜νｄ６＜２６．００
ただし、νｄ６は第６レンズのｄ線に対するアッべ数である。
【００２６】
条件式（２）は、第６レンズのｄ線に対するアッベ数を適切な範囲に規定するものである。条件式（２）の範囲を満足することで、色収差の良好な補正が可能になる。
【００２７】
また、上記構成の撮像レンズにおいては、以下の条件式（３）を満足することが望ましい。
（３）−８．００＜｜ｒ１１｜／ｒ１２
ただし、ｒ１１は第６レンズの物体側の面の近軸曲率半径、ｒ１２は第６レンズの像側の面の近軸曲率半径である。
【００２８】
条件式（３）は、第６レンズの物体側の面の近軸曲率半径、および像側の面の近軸曲率半径との関係を適切な範囲に規定するものである。条件式（３）を満足することで、第６レンズの物体側の面、および像側の面の屈折力を適切にバランスさせることが可能になる。その結果、非点収差、歪曲収差の良好な補正が可能になる。
【００２９】
また、上記構成の撮像レンズにおいては、以下の条件式（４）を満足することが望ましい。
（４）０．５０＜ｒ８／ｆ＜１０．００
ただし、ｒ８は第４レンズの像側の面の近軸曲率半径、ｆは撮像レンズ全系の焦点距離である。
【００３０】
条件式（４）は、第４レンズの像側の面の近軸曲率半径を適切な範囲に規定するものである。条件式（４）の範囲を満足することで、非点収差、歪曲収差の良好な補正が可能になる。
【００３１】
また、上記構成の撮像レンズにおいては、以下の条件式（５）を満足することが望ましい。
（５）０．７０＜Ｔ４／Ｔ５＜１９．００
ただし、Ｔ４は第４レンズの像側の面から第５レンズの物体側の面までの光軸上の距離、Ｔ５は第５レンズの像側の面から第６レンズの物体側の面までの光軸上の距離である。
【００３２】
条件式（５）は、第４レンズの像側の面から第５レンズの物体側の面までの光軸上の距離、および第５レンズの像側の面から第６レンズの物体側の面までの光軸上の距離との関係を適切な範囲に規定するものである。条件式（５）の範囲を満足することで、第５レンズは最適な位置に配置され、当該レンズによる諸収差補正機能をより効果的なものにする。その結果、低背化を図るとともに、非点収差、歪曲収差の良好な補正が可能になる。
【００３３】
また、上記構成の撮像レンズにおいては、以下の条件式（６）を満足することが望ましい。
（６）１１．００＜νｄ４＜２６．００
ただし、νｄ４は第４レンズのｄ線に対するアッべ数である。
【００３４】
条件式（６）は、第４レンズのｄ線に対するアッベ数を適切な範囲に規定するものである。条件式（６）の範囲を満足することで、色収差の良好な補正が可能になる。
【００３５】
また、上記構成の撮像レンズにおいては、以下の条件式（７）を満足することが望ましい。
（７）０．９０＜｜ｆ４｜／ｆ
ただし、ｆ４は第４レンズの焦点距離、ｆは撮像レンズ全系の焦点距離である。
【００３６】
条件式（７）は、第４レンズの屈折力を適切な範囲に規定するものである。条件式（７）の範囲を満足することで、非点収差、歪曲収差の良好な補正が可能になる。
【００３７】
また、上記構成の撮像レンズにおいては、以下の条件式（８）を満足することが望ましい。
（８）０．９０＜｜ｆ６｜／ｆ
ただし、ｆ６は第６レンズの焦点距離、ｆは撮像レンズ全系の焦点距離である。
【００３８】
条件式（８）は、第６レンズの屈折力を適切な範囲に規定するものである。条件式（８）の範囲を満足することで、球面収差、非点収差、像面湾曲、歪曲収差の良好な補正が可能になる。
【００３９】
また、上記構成の撮像レンズにおいては、以下の条件式（９）を満足することが望ましい。
（９）−７．００＜ｆ３／｜ｆ４｜＜−０．０５
ただし、ｆ３は第３レンズの焦点距離、ｆ４は第４レンズの焦点距離である。
【００４０】
条件式（９）は、第３レンズの焦点距離、および第４レンズの焦点距離との関係を適切な範囲に規定するものである。条件式（９）を満足することで、第３レンズの屈折力、および第４レンズの屈折力が過剰になることを抑制する。その結果、コマ収差、非点収差、歪曲収差の良好な補正が可能になる。
【００４１】
また、上記構成の撮像レンズにおいては、以下の条件式（１０）を満足することが望ましい。
（１０）−１３．００＜ｆ３／ｆ＜−０．９０
ただし、ｆ３は第３レンズの焦点距離、ｆは撮像レンズ全系の焦点距離である。
【００４２】
条件式（１０）は、第３レンズの屈折力を適切な範囲に規定するものである。条件式（１０）の上限値を下回ることで、第３レンズの負の屈折力が適切なものとなり、低背化に有利になる。一方、条件式（１０）の下限値を上回ることで、コマ収差、非点収差、歪曲収差の良好な補正が可能になる。
【００４３】
また、上記構成の撮像レンズにおいては、以下の条件式（１１）を満足することが望ましい。
（１１）０．１５＜ｒ７／ｆ＜１３．００
ただし、ｒ７は第４レンズの物体側の面の近軸曲率半径、ｆは撮像レンズ全系の焦点距離である。
【００４４】
条件式（１１）は、第４レンズの物体側の面の近軸曲率半径を適切な範囲に規定するものである。条件式（１１）の上限値を下回ることで、歪曲収差の良好な補正が可能になる。一方、条件式（１１）の下限値を上回ることで、非点収差の良好な補正が可能になる。
【００４５】
また、上記構成の撮像レンズにおいては、以下の条件式（１２）を満足することが望ましい。
（１２）０．１５＜｜ｒ１１｜／ｆ＜２０．００
ただし、ｒ１１は第６レンズの物体側の面の近軸曲率半径、ｆは撮像レンズ全系の焦点距離である。
【００４６】
条件式（１２）は、第６レンズの物体側の面の近軸曲率半径を適切な範囲に規定するものである。条件式（１２）を満足することで、非点収差、歪曲収差の良好な補正が可能になる。
【００４７】
また、上記構成の撮像レンズにおいては、以下の条件式（１３）を満足することが望ましい。
（１３）０．１０＜（Ｄ４／｜ｆ４｜）×１００＜４．６０
ただし、Ｄ４は第４レンズの光軸上の厚み、ｆ４は第４レンズの焦点距離である。
【００４８】
条件式（１３）は、第４レンズの光軸上の厚み、および第４レンズの焦点距離との関係を適切な範囲に規定するものである。条件式（１３）の上限値を下回ることで、第４レンズの屈折力が強くなり過ぎることを防ぎ、非点収差、歪曲収差の良好な補正が可能になる。また、第４レンズの光軸上の厚みが厚くなり過ぎることを防ぎ、低背化に有利になる。一方、条件式（１３）の下限値を上回ることで、第４レンズの光軸上の厚みが薄くなり過ぎることを防ぎ、レンズの成型性を良好にする。
【００４９】
また、上記構成の撮像レンズにおいては、以下の条件式（１４）を満足することが望ましい。
（１４）１．００＜（Ｄ６／｜ｆ６｜）×１００＜１１．５０
ただし、Ｄ６は第６レンズの光軸上の厚み、ｆ６は第６レンズの焦点距離である。
【００５０】
条件式（１４）は、第６レンズの光軸上の厚み、および第６レンズの焦点距離との関係を適切な範囲に規定するものである。条件式（１４）の上限値を下回ることで、第６レンズの屈折力が強くなり過ぎることを防ぎ、球面収差、非点収差、歪曲収差の良好な補正が可能になる。また、第６レンズの光軸上の厚みが厚くなり過ぎることを防ぎ、バックフォーカスの確保を容易にする。一方、条件式（１４）の下限値を上回ることで、第６レンズの光軸上の厚みが薄くなり過ぎることを防ぎ、レンズの成型性を良好にする。
【００５１】
また、上記構成の撮像レンズにおいては、以下の条件式（１５）を満足することが望ましい。
（１５）ＴＴＬ／ＥＰｄ≦２．４０
ただし、ＴＴＬは光学全長、ＥＰｄは入射瞳直径である。
【００５２】
条件式（１５）は、光学全長、および入射瞳直径との関係を適切な範囲に規定するものである。条件式（１５）の範囲を満足することにより、光学全長を小さくしながら、周辺光量の低下を抑制することができ、画面中心から周辺まで十分に明るい画像が得られる。
【発明の効果】
【００５３】
本発明により、低背化、および低Ｆナンバー化の要求をバランスよく満足しながらも、諸収差が良好に補正された解像力の高い撮像レンズを得ることができる。
【図面の簡単な説明】
【００５４】
【図１】本発明の実施例１の撮像レンズの概略構成を示す図である。
【図２】本発明の実施例１の撮像レンズの球面収差、非点収差、歪曲収差を示す図である。
【図３】本発明の実施例２の撮像レンズの概略構成を示す図である。
【図４】本発明の実施例２の撮像レンズの球面収差、非点収差、歪曲収差を示す図である。
【図５】本発明の実施例３の撮像レンズの概略構成を示す図である。
【図６】本発明の実施例３の撮像レンズの球面収差、非点収差、歪曲収差を示す図である。
【図７】本発明の実施例４の撮像レンズの概略構成を示す図である。
【図８】本発明の実施例４の撮像レンズの球面収差、非点収差、歪曲収差を示す図である。
【図９】本発明の実施例５の撮像レンズの概略構成を示す図である。
【図１０】本発明の実施例５の撮像レンズの球面収差、非点収差、歪曲収差を示す図である。
【図１１】本発明の実施例６の撮像レンズの概略構成を示す図である。
【図１２】本発明の実施例６の撮像レンズの球面収差、非点収差、歪曲収差を示す図である。
【発明を実施するための形態】
【００５５】
以下、本発明に係る実施形態について図面を参照しながら詳細に説明する。
【００５６】
図１、図３、図５、図７、図９、および図１１はそれぞれ、本発明の実施形態の実施例１から６に係る撮像レンズの概略構成図を示している。
【００５７】
本実施形態の撮像レンズは、物体側から像側に向かって順に配置された、光軸Ｘの近傍で物体側に凸面を向けた正の屈折力を有する第１レンズＬ１と、光軸Ｘの近傍で負の屈折力を有する第２レンズＬ２と、光軸Ｘの近傍で負の屈折力を有する第３レンズＬ３と、光軸Ｘの近傍で物体側に凸面を向けた正、または負の屈折力を有する第４レンズＬ４と、光軸Ｘの近傍で正、または負の屈折力を有する第５レンズＬ５と、光軸Ｘの近傍で像側に凸面を向けた正、または負の屈折力を有する第６レンズＬ６とから構成される。
【００５８】
また、第６レンズＬ６と撮像面ＩＭＧ（すなわち、撮像素子の撮像面）との間には赤外線カットフィルタやカバーガラス等のフィルタＩＲが配置されている。なお、このフィルタＩＲは省略することが可能である。
【００５９】
開口絞りＳＴは、第１レンズＬ１の物体側に配置しているため、諸収差の補正を容易にするとともに、高像高の光線が撮像素子に入射する際の角度の制御を容易にしている。
【００６０】
第１レンズＬ１は、正の屈折力を有し、光軸Ｘの近傍で物体側に凸面を向けているとともに、像側に凹面を向けたメニスカス形状に形成されている。そのため、低背化を図りながら、球面収差、歪曲収差を良好に補正している。
【００６１】
なお、第１レンズＬ１の形状は、図３に示す実施例２のように、光軸Ｘの近傍で物体側に凸面を向けているとともに、像側に凸面を向けた両凸形状であってもよい。この場合、両面の正の屈折力によって、低背化に有利になる。また、両面を凸面にすることで強い曲率になることを抑え、製造誤差に対する感度を低減させる効果が得られる。
【００６２】
第２レンズＬ２は、負の屈折力を有し、光軸Ｘの近傍で物体側に凸面を向けているとともに、像側に凹面を向けたメニスカス形状に形成されている。そのため、球面収差、色収差、コマ収差、非点収差、歪曲収差を良好に補正している。
【００６３】
第３レンズＬ３は、負の屈折力を有し、光軸Ｘの近傍で物体側に凸面を向けているとともに、像側に凹面を向けたメニスカス形状に形成されている。そのため、コマ収差、非点収差、歪曲収差を良好に補正している。
【００６４】
第４レンズＬ４は、負の屈折力を有し、光軸Ｘの近傍で物体側に凸面を向けているとともに、像側に凹面を向けたメニスカス形状に形成されている。そのため、非点収差、歪曲収差を良好に補正している。
【００６５】
なお、第４レンズＬ４の屈折力は、図３に示す実施例２のように、正であってもよい。この場合、低背化に有利になる。
【００６６】
第５レンズＬ５は、負の屈折力を有し、光軸Ｘの近傍で物体側に凹面を向けているとともに、像側に凹面を向けた両凹形状に形成されている。そのため、両面の負の屈折力によって、色収差の補正に有利になるとともに、非点収差、像面湾曲、歪曲収差を良好に補正している。
【００６７】
なお、第５レンズＬ５の屈折力は、図７、および図１１に示す実施例４、および実施例６のように、正であってもよい。この場合、低背化に有利になる。
【００６８】
また、第５レンズＬ５の形状は、図７、および図１１に示す実施例４、および実施例６のように、光軸Ｘの近傍で物体側に凹面を向けているとともに、像側に凸面を向けたメニスカス形状であってもよい。この場合、第５レンズＬ５の像側への光線入射角度を適切に抑制し、歪曲収差の良好な補正が可能になる。
【００６９】
第６レンズＬ６は、正の屈折力を有し、光軸Ｘの近傍で物体側に凸面を向けているとともに、像側に凸面を向けた両凸形状に形成されている。そのため、低背化を図りながら、球面収差、非点収差、像面湾曲、歪曲収差を良好に補正している。また、第６レンズＬ６の像側の面を、光軸Ｘの近傍で像側に凸面にすることで、撮像素子への光線入射角を抑えることが可能になる。その結果、第６レンズＬ６のレンズ径を小さくし、撮像レンズの小径化が可能になる。
【００７０】
なお、第６レンズＬ６の屈折力は、図７、および図１１に示す実施例４、および実施例６のように、負であってもよい。この場合、色収差の補正に有利になる。
【００７１】
また、第６レンズＬ６形状は、図５、図７、および図１１に示す実施例３、実施例４、および実施例６のように、光軸Ｘの近傍で物体側に凹面を向けているとともに、像側に凸面を向けたメニスカス形状であってもよい。この場合、第６レンズＬ６への光線入射角度を適切に抑制し、歪曲収差の良好な補正が可能になる。
【００７２】
本実施の形態に係る撮像レンズは、第１レンズＬ１から第６レンズＬ６のすべてが、それぞれ単レンズで構成されていることが好ましい。単レンズのみの構成は、非球面を多用することができる。本実施形態においては、すべてのレンズ面に適切な非球面を形成することで、良好な諸収差の補正が行われている。また、接合レンズを採用する場合に比較して工数を削減できるため、低コストで製作することが可能となる。
【００７３】
また、本実施の形態に係る撮像レンズは、すべてのレンズにプラスチック材料を採用することで製造を容易にし、低コストでの大量生産を可能にしている。
【００７４】
なお、採用するレンズ材料はプラスチック材料に限定されるものではない。ガラス材料を採用することで、さらなる高性能化を目指すことも可能である。また、すべてのレンズ面を非球面で形成することが望ましいが、要求される性能によっては、製造が容易な球面を採用してもよい。
【００７５】
本実施形態における撮像レンズは、以下の条件式（１）から（１５）を満足することにより、好ましい効果を奏するものである。
（１）３９．００＜νｄ３＜７３．００
（２）１１．００＜νｄ６＜２６．００
（３）−８．００＜｜ｒ１１｜／ｒ１２
（４）０．５０＜ｒ８／ｆ＜１０．００
（５）０．７０＜Ｔ４／Ｔ５＜１９．００
（６）１１．００＜νｄ４＜２６．００
（７）０．９０＜｜ｆ４｜／ｆ
（８）０．９０＜｜ｆ６｜／ｆ
（９）−７．００＜ｆ３／｜ｆ４｜＜−０．０５
（１０）−１３．００＜ｆ３／ｆ＜−０．９０
（１１）０．１５＜ｒ７／ｆ＜１３．００
（１２）０．１５＜｜ｒ１１｜／ｆ＜２０．００
（１３）０．１０＜（Ｄ４／｜ｆ４｜）×１００＜４．６０
（１４）１．００＜（Ｄ６／｜ｆ６｜）×１００＜１１．５０
（１５）ＴＴＬ／ＥＰｄ≦２．４０
ただし、
νｄ３：第３レンズＬ３のｄ線に対するアッべ数
νｄ４：第４レンズＬ４のｄ線に対するアッべ数
νｄ６：第６レンズＬ６のｄ線に対するアッべ数
Ｄ４：第４レンズＬ４の光軸Ｘ上の厚み
Ｄ６：第６レンズＬ６の光軸Ｘ上の厚み
Ｔ４：第４レンズＬ４の像側の面から第５レンズＬ５の物体側の面までの光軸Ｘ上の距離
Ｔ５：第５レンズＬ５の像側の面から第６レンズＬ６の物体側の面までの光軸Ｘ上の距離
ＴＴＬ：光学全長
ＥＰｄ：入射瞳直径
ｆ：撮像レンズ全系の焦点距離
ｆ３：第３レンズＬ３の焦点距離
ｆ４：第４レンズＬ４の焦点距離
ｆ６：第６レンズＬ６の焦点距離
ｒ７：第４レンズＬ４の物体側の面の近軸曲率半径
ｒ８：第４レンズＬ４の像側の面の近軸曲率半径
ｒ１１：第６レンズＬ６の物体側の面の近軸曲率半径
ｒ１２：第６レンズＬ６の像側の面の近軸曲率半径
なお、上記の各条件式をすべて満足する必要はなく、それぞれの条件式を単独に満たすことで、各条件式に対応した作用効果を得ることができる。
【００７６】
また、本実施形態における撮像レンズは、以下の条件式（１ａ）から（１５ａ）を満足することにより、より好ましい効果を奏するものである。
（１ａ）４７．００＜νｄ３＜６５．００
（２ａ）１５．００＜νｄ６＜２２．５０
（３ａ）−７．００＜｜ｒ１１｜／ｒ１２＜−０．０５
（４ａ）０．６０＜ｒ８／ｆ＜７．５０
（５ａ）１．１０＜Ｔ４／Ｔ５＜１７．００
（６ａ）１５．００＜νｄ４＜２２．５０
（７ａ）１．３０＜｜ｆ４｜／ｆ＜２４．００
（８ａ）１．２０＜｜ｆ６｜／ｆ＜７．００
（９ａ）−５．５０＜ｆ３／｜ｆ４｜＜−０．１０
（１０ａ）−１０．５０＜ｆ３／ｆ＜−１．３５
（１１ａ）０．５０＜ｒ７／ｆ＜１０．５０
（１２ａ）０．４０＜｜ｒ１１｜／ｆ＜１４．００
（１３ａ）０．１５＜（Ｄ４／｜ｆ４｜）×１００＜３．８０
（１４ａ）２．００＜（Ｄ６／｜ｆ６｜）×１００＜９．５０
（１５ａ）ＴＴＬ／ＥＰｄ≦２．３０
ただし、各条件式の符号は前の段落での説明と同様である。
【００７７】
本実施形態において、レンズ面の非球面に採用する非球面形状は、光軸方向の軸をＺ、光軸に直交する方向の高さをＨ、近軸曲率半径をＲ、円錐係数をｋ、非球面係数をＡ４、Ａ６、Ａ８、Ａ１０、Ａ１２、Ａ１４、Ａ１６、Ａ１８、Ａ２０としたとき数式１により表わされる。
【００７８】
【数１】
2020173286.tif 000003
【００７９】
次に、本実施形態に係る撮像レンズの実施例を示す。各実施例において、ｆは撮像レンズ全系の焦点距離を、ＦｎｏはＦナンバーを、ωは半画角を、ｉｈは最大像高を、ＴＴＬは光学全長をそれぞれ示す。また、ｉは物体側から数えた面番号、ｒは近軸曲率半径、ｄは光軸上のレンズ面間の距離(面間隔)、Ｎｄはｄ線（基準波長）の屈折率、νｄはｄ線に対するアッベ数をそれぞれ示す。なお、非球面に関しては、面番号ｉの後に＊（アスタリスク）の符号を付加して示す。
【００８０】
（実施例１）
【００８１】
基本的なレンズデータを以下の表１に示す。
【００８２】
【表１】
2020173286.tif 000004
【００８３】
実施例１の撮像レンズは、表７に示すように条件式（１）から（１５）を満たしている。
【００８４】
図２は実施例１の撮像レンズについて、球面収差（ｍｍ）、非点収差（ｍｍ）、歪曲収差（％）を示したものである。球面収差図は、Ｆ線（４８６ｎｍ）、ｄ線（５８８ｎｍ）、Ｃ線（６５６ｎｍ）の各波長に対する収差量を示している。また、非点収差図にはサジタル像面Ｓにおけるｄ線の収差量（実線）、タンジェンシャル像面Ｔにおけるｄ線の収差量（破線）をそれぞれ示している（図４、図６、図８、図１０、および図１２においても同じ）。図２に示すように、各収差は良好に補正されていることが分かる。
【００８５】
（実施例２）
【００８６】
基本的なレンズデータを以下の表２に示す。
【００８７】
【表２】
2020173286.tif 000005
【００８８】
実施例２の撮像レンズは、表７に示すように条件式（１）から（１５）を満たしている。
【００８９】
図４は実施例２の撮像レンズについて、球面収差（ｍｍ）、非点収差（ｍｍ）、歪曲収差（％）を示したものである。図４に示すように、各収差は良好に補正されていることが分かる。
【００９０】
（実施例３）
【００９１】
基本的なレンズデータを以下の表３に示す。
【００９２】
【表３】
2020173286.tif 000006
【００９３】
実施例３の撮像レンズは、表７に示すように条件式（１）から（１５）を満たしている。
【００９４】
図６は実施例３の撮像レンズについて、球面収差（ｍｍ）、非点収差（ｍｍ）、歪曲収差（％）を示したものである。図６に示すように、各収差は良好に補正されていることが分かる。
【００９５】
（実施例４）
【００９６】
基本的なレンズデータを以下の表４に示す。
【００９７】
【表４】
2020173286.tif 000007
【００９８】
実施例４の撮像レンズは、表７に示すように条件式（１）から（１５）を満たしている。
【００９９】
図８は実施例４の撮像レンズについて、球面収差（ｍｍ）、非点収差（ｍｍ）、歪曲収差（％）を示したものである。図８に示すように、各収差は良好に補正されていることが分かる。
【０１００】
（実施例５）
【０１０１】
基本的なレンズデータを以下の表５に示す。
【０１０２】
【表５】
2020173286.tif 000008
【０１０３】
実施例５の撮像レンズは、表７に示すように条件式（１）から（１５）を満たしている。
【０１０４】
図１０は実施例５の撮像レンズについて、球面収差（ｍｍ）、非点収差（ｍｍ）、歪曲収差（％）を示したものである。図１０に示すように、各収差は良好に補正されていることが分かる。
【０１０５】
（実施例６）
【０１０６】
基本的なレンズデータを以下の表６に示す。
【０１０７】
【表６】
2020173286.tif 000009
【０１０８】
実施例６の撮像レンズは、表７に示すように条件式（１）から（１５）を満たしている。
【０１０９】
図１２は実施例６の撮像レンズについて、球面収差（ｍｍ）、非点収差（ｍｍ）、歪曲収差（％）を示したものである。図１２に示すように、各収差は良好に補正されていることが分かる。
【０１１０】
表７に実施例１から実施例６に係る条件式（１）から（１５）の値を示す。
【０１１１】
【表７】
2020173286.tif 000010
【産業上の利用可能性】
【０１１２】
本発明に係る撮像レンズを、カメラ機能を備える製品へ適用した場合、当該カメラの低背化、および低Ｆナンバー化への寄与とともに、高性能化を図ることができる。
【符号の説明】
【０１１３】
ＳＴ  開口絞り
Ｌ１  第１レンズ
Ｌ２  第２レンズ
Ｌ３  第３レンズ
Ｌ４  第４レンズ
Ｌ５  第５レンズ
Ｌ６  第６レンズ
ｉｈ  最大像高
ＩＲ  フィルタ
ＩＭＧ  撮像面
【図１】
2020173286.tif 000011
【図２】
2020173286.tif 000012
【図３】
2020173286.tif 000013
【図４】
2020173286.tif 000014
【図５】
2020173286.tif 000015
【図６】
2020173286.tif 000016
【図７】
2020173286.tif 000017
【図８】
2020173286.tif 000018
【図９】
2020173286.tif 000019
【図１０】
2020173286.tif 000020
【図１１】
2020173286.tif 000021
【図１２】
2020173286.tif 000022